(57)【要約】【課題】携帯端末においてカメラに向かってサイン等の書き込みをする様子や書き込みをした状態での静止画や動画を撮像可能とする撮像補助具を提供する。【解決手段】カメラを有する携帯端末Ｔに装着して用いられる撮像補助具１であって、広角用のレンズ部５と、レンズ部５とは分離して設けられると共にレンズ部５に対向配置された透光板７と、レンズ部５と透光板７とを支持して一定間隔に保持するフレーム９と、携帯端末Ｔへの装着を可能とする装着部１１とを備える。【選択図】図２
0003207550.tif 000002
【実用新案登録請求の範囲】
【請求項１】
カメラを有する携帯端末に装着して用いられる撮像補助具であって、
広角用のレンズ部と、
前記レンズ部とは分離して設けられると共に前記レンズ部に対向配置された透光板と、
前記レンズ部と前記透光板とを支持して一定間隔に保持するフレームと、
前記携帯端末への装着を可能とする装着部と、
を備えたことを特徴とする撮像補助具。
【請求項２】
請求項１記載の撮像補助具であって、
前記レンズ部は、筒状部内にレンズを支持して構成され、
前記透光板は、前記レンズ部の前記筒状部に対して分離して設けられ、
前記フレームは、前記レンズ部の前記筒状部及び前記透光板を支持する、
ことを特徴とする撮像補助具。
【請求項３】
請求項２記載の撮像補助具であって、
前記フレームは、
貫通孔を有し該貫通孔と同心に前記レンズ部を支持するフレーム本体と、
前記フレーム本体から設けられて先端に前記透光板を支持する複数のアームと、
を備えることを特徴とする撮像補助具。
【請求項４】
請求項１〜３の何れか一項に記載の撮像補助具であって、
前記透光板は、
板状の本体部と、
該本体部の外周縁に沿って設けられた板厚方向のリブと、
前記板厚方向における前記リブの範囲内で前記リブに設けられ、前記フレームによって支持される被支持突起と、
を備えたことを特徴とする撮像補助具。
【考案の詳細な説明】
【技術分野】
【０００１】
本考案は、携帯電話機等の携帯端末に備えられたカメラの撮像補助具に関する。
【背景技術】
【０００２】
近年、タブレット型コンピューターや多機能携帯電話機等の携帯型の情報処理端末（以下、「携帯端末」と称する）としては、カメラを有するものが普及しており、ユーザーは、携帯端末のカメラを用いて手軽に静止画や動画を撮像することが可能となっている。
【０００３】
そのような携帯端末のカメラは、小型の携帯端末の一部として設けられることから、小型で機能が制限されたものとなっており、ユーザーのニーズに対応できないことがある。
【０００４】
これに対し、特許文献１には、携帯端末に装着されるコンバージョンレンズ装置が開示されている。このコンバージョンレンズ装置は、携帯端末のカメラの機能を補い、ユーザーのニーズへの対応を可能とする。
【０００５】
一方で、ユーザーのニーズは多様化してきており、テレビのスポーツ中継等で見られるスポーツ選手が試合後にテレビカメラに向かってサインするような映像を、携帯端末のカメラにおいて手軽に撮像できるようにすることのニーズもある。
【０００６】
しかし、そのようなニーズには、コンバージョンレンズ装置では対応することができない。特にコンバージョンレンズ装置は、携帯端末に応じて小型のものとなっているため、サインするには十分な大きさを確保できない問題等がある。
【先行技術文献】
【特許文献】
【０００７】
【特許文献１】実用新案登録第３１１３３３２号
【考案の概要】
【考案が解決しようとする課題】
【０００８】
本考案が解決しようとする問題点は、携帯端末においてカメラに向かってサイン等を書き込む様子や書き込みをした状態での静止画や動画を撮像することができなかった点である。
【課題を解決するための手段】
【０００９】
本考案は、携帯端末においてカメラに向かってサイン等を書き込む様子や書き込みをした状態での静止画や動画を撮像することを可能とするため、カメラを有する携帯端末に装着されて用いられる撮像補助具であって、広角用のレンズ部と、前記レンズ部とは分離して設けられると共に前記レンズ部に対向配置された透光板と、前記レンズ部と前記透光板とを支持して一定間隔に保持するフレームと、前記携帯端末への装着を可能とする装着部とを備えた撮像補助具を最も主な特徴とする。
【考案の効果】
【００１０】
本考案によれば、透光板をレンズ部から切り離して書き込みが可能な大きさにすることができ、これを広角用のレンズ部によって携帯端末のカメラで撮像可能とすることができる。これら透光板とレンズ部とをフレームで保持しつつ装着部により携帯端末に装着すれば、携帯端末においてカメラに向かってサイン等を書き込む様子や書き込んだ状態での静止画や動画を手軽に撮像することが可能となる。
【図面の簡単な説明】
【００１１】
【図１】本発明の一実施例に係る撮像補助具を装着した携帯端末を示す斜視図である。
【図２】図１の書き込み時の状態を示す斜視図である。
【図３】図１の撮像補助具の斜視図である。
【図４】図３の反対側から見た撮像補助具の斜視図である。
【図５】図３の撮像補助具の分解斜視図である。
【図６】図１の撮像補助具の側面図である。
【図７】図１の撮像補助具の底面図である。
【図８】図１の撮像補助具の平面図である。
【図９】図１の撮像補助具の正面図である。
【図１０】図１の撮像補助具の背面図である。
【図１１】図８のＸＩ−ＸＩ線に係る断面図である。
【考案を実施するための形態】
【００１２】
携帯端末においてカメラに向かってサイン等を書き込む様子や書き込んだ状態での静止画や動画を撮像することを可能とするという目的を、カメラを有する携帯端末に装着して用いられる撮像補助具によって実現した。
【００１３】
撮像補助具は、広角用のレンズ部と、このレンズ部とは分離して設けられると共にレンズ部に対向配置された透光板と、レンズ部と透光板とを支持して一定間隔に保持するフレームと、携帯端末への装着を可能とする装着部とを備える。
【００１４】
レンズ部は、筒状部内にレンズを支持して構成され、透光板は、レンズ部の筒状部に対して分離して設けられ、フレームは、レンズ部の筒状部及び透光板を支持するように構成してもよい。
【００１５】
フレームは、貫通孔を有しこの貫通孔と同心にレンズ部を支持するフレーム本体と、フレーム本体から設けられて先端に透光板を支持する複数のアームとを備える構成としてもよい。
【００１６】
透光板は、板状の本体部と、この本体部の外周縁に沿って設けられた板厚方向のリブと、その板厚方向におけるリブの範囲内でリブに設けられ、フレームによって支持される被支持突起とを備えてもよい。
【００１７】
以下、本発明の一実施例に係る撮像補助具について図面を参照して説明する。
［撮像補助具の構成］
図１は、本発明の一実施例に係る撮像補助具を装着した携帯端末を示す斜視図、図２は、同書き込み時の状態を示す斜視図である。
【００１８】
本実施例の撮像補助具１は、図１及び図２のように、携帯端末Ｔに装着されることで、携帯端末Ｔにおいてカメラ（図示せず）に向かって撮像対象者がサイン等を書き込む様子や書き込んだ状態での静止画や動画を撮像することを可能とするものである。
【００１９】
撮像補助具１の装着対象となる携帯端末Ｔは、本実施例において携帯型の情報処理端末としての多機能携帯電話機であり、カメラ機能を有する。ただし、携帯端末Ｔは、カメラ機能を有していれば、タブレット型コンピューター等の多機能携帯電話機以外の携帯携帯型の情報処理端末とすることも可能である。
【００２０】
携帯端末Ｔの形状等は、特に限定されるものではないが、本実施例の携帯端末Ｔは矩形板状の外形を有している。
【００２１】
携帯端末Ｔのカメラは、ＣＣＤカメラやＣＭＯＳカメラで構成され、携帯端末Ｔの一部に備えられている。カメラの位置は、携帯端末Ｔの他の機能を利用する際に妨げとならない位置となる。例えば、本実施例の携帯端末Ｔでは、カメラが外縁部に配置されている。
【００２２】
図３は、図１の撮像補助具１の斜視図、図４は、図３の反対側から見た撮像補助具１の斜視図、図５は、図３の撮像補助具１の分解斜視図、図６〜図１１は、それぞれ図１の撮像補助具１の側面図、底面図、平面図、正面図、背面図、及び断面図である。
【００２３】
撮像補助具１は、図１〜図１１のように、レンズ部５と、透光板７と、フレーム９と、装着部１１とを備えている。
【００２４】
レンズ部５は、本実施例において筒状部１３及びレンズ１５を備えたレンズユニットからなる（図５及び図１１参照）。ただし、レンズ部５は、レンズ１５をフレーム９に直接支持して筒状部１３を省略する構成構成とすることも可能である。
【００２５】
筒状部１３は、金属や樹脂等の中空円筒形状で、内部にレンズ１５を支持している。なお、図１１では、レンズ部５を断面とはしておらず、且つレンズ１５を概略的にのみ示す。筒状部１３は、一端外周が雄ねじ部１３ａとなっており、後述するフレーム９に締結され支持される。ただし、筒状部１３は、フレーム９と一体に構成することも可能である。
【００２６】
レンズ１５は、広角用且つ近接用のレンズで構成される。すなわち、レンズ１５は、携帯端末Ｔのカメラに対し、画角を拡げ、最短撮影距離を短くするものとなっている。これにより、携帯端末Ｔのカメラは、書き込みが行われる透光板７の本体部１７の外表面１７ａを撮像できるようになる。なお、携帯端末Ｔのカメラの機能やレンズ部５と透光板７との距離によっては、レンズ１５を近接用とする必要はなく、レンズ１５は、少なくとも広角用のものであればよい。
【００２７】
透光板７は、透光性を有する樹脂やガラス等の板であり、撮像対象者が書き込みをする部分である。透光板７は、透明であることが好ましいが、光透過性を有していれば必ずしも透明である必要はない。
【００２８】
この透光板７は、レンズ部５、特に筒状部１３に対して分離して設けられている。従って、透光板７は、レンズ部５や筒状部１３の大きさに拘束されることがなく、書き込みを可能とする十分な大きさにすることができる。
【００２９】
また、透光板７は、レンズ部５に対して光軸方向で所定間隔をあけて対向配置され、その状態でフレーム９によって支持されている。ただし、透光板７は、レンズ部５に対して近接して撮像補助具１全体としての小型化を可能としている。このため、透光板７の本体部１７の外表面１７ａは、撮像補助具１が携帯端末Ｔに装着された状態で、携帯端末Ｔのカメラ本来の画角では一部のみしか撮像できない位置に配置される。
【００３０】
透光板７の形状は、特に限定されるものではないが、本実施例の透光板７は、本体部１７と、リブ１９と、被支持部２１とを一体に備えて構成されている。
【００３１】
本体部１７は、全体として均一な板厚を有した矩形板状となっている。これにより、本体部１７は、光軸方向でのレンズ部５に対する反対側の外表面１７ａが、書き込みを行わせて撮像がなされる被撮像面を構成する。なお、本体部１７は、円板形状等のように他の平面形状を有する板状とすることも可能である。
【００３２】
リブ１９は、本体部１７の外周縁に沿って設けられている。具体的には、リブ１９は、本体部１７の外周縁からレンズ部５側に向かって突出して形成されている。このリブ１９により、透光板７は、本体部１７の剛性が向上し、撮像対象者に対して書き込みを安定して行わせることが可能となる。このリブ１９に対し、被支持部２１が設けられている。
【００３３】
被支持部２１は、透光板７をフレーム９によって支持可能とするものである。本実施例の被支持部２１は、透光板７の対向する縁部に形成された凹部２３内に位置している（図５参照）。被支持部２１は、板厚方向におけるリブ１９の範囲内で形成され、全体として板状となっている。
【００３４】
フレーム９は、樹脂や金属等からなり、レンズ部５と透光板７とを支持して一定間隔に保持するものである。本実施例のフレーム９は、フレーム本体２５と、複数のアーム２７とを一体に備えて構成されている。ただし、フレーム９は、レンズ部５と透光板７とを支持することができるものであれば、他の構成を採用してもよい。
【００３５】
フレーム本体２５は、矩形板状に形成されている。フレーム本体２５の中心部には、レンズ部５の光軸方向に貫通する貫通孔２５ａが形成されている（図１１参照）。貫通孔２５ａの内周には、雌ねじ部２５ｂが備えられ、レンズ部５の雄ねじ部１３ａを螺合させるようになっている。これにより、フレーム本体２５は、貫通孔２５ａと同心にレンズ部５を支持する。このフレーム本体２５の両端部には、アーム２７がそれぞれ設けられている。
【００３６】
アーム２７は、フレーム本体２５の両端部から設けられて先端に透光板７を支持する。アーム２７は、二本備えられているが、３本以上とすることも可能である。
【００３７】
本実施例のアーム２７は、フレーム本体２５の両端部から同一幅で光軸方向で透光板７側に向けて延設され、屈曲部２７ａ，２７ｂを経て先端部２７ｃへと至る。先端部２７ｃは、全体として透光板７の凹部２３内に嵌合するブロック形状となっている。この先端部２７ｃには、透光板７の凹部２３に嵌合した状態で、被支持部２１を内部に嵌合させるスリット２７ｄを有している。この嵌合により、先端部２７ｃは、透光板７を支持するようになっている。
【００３８】
装着部１１は、携帯端末Ｔに対する装着を可能とするものである。本実施例の装着部１１は、クリップによって構成されるが、クリップ以外の各種の構成を採用可能である。例えば、装着部１１としては、粘着により装着するもの、圧入により装着するもの、別途のカバーを携帯端末Ｔに取り付けてカバーに対して螺合などによって装着するもの等が考えられる。
【００３９】
クリップによる装着部１１は、一対の挟持板２９，３１が湾曲部３３を介して対向配置されている。従って、装着部１１は、湾曲部３３の弾性により挟持板２９，３１間に携帯端末Ｔを挿入するようにして撮像補助具１の携帯端末Ｔへの装着を可能とする。この装着により、携帯端末Ｔのカメラにレンズ部５が位置決められる。
【００４０】
本実施例では、フレーム９のフレーム本体２５が一方の挟持板２９として兼用されるため、撮像補助具１の携帯端末Ｔへの装着状態で、フレーム本体２５の貫通孔２５ａに携帯端末Ｔのカメラが臨み、レンズ部５とカメラが位置決められる。
【００４１】
貫通孔２５ａの周囲では、フレーム本体２５が携帯端末Ｔに当接する。他方の挟持板３１は、一方の挟持板２９（フレーム本体２５）の貫通孔２５ａの中心で最も一方の挟持板２９側に突出するように湾曲し、その湾曲部分が携帯端末Ｔに当接する。これにより、撮像補助具１は、携帯端末Ｔへの装着が安定する。
【００４２】
これら挟持板２９，３１には、携帯端末Ｔに当接する部分にウレタン等の樹脂からなる滑り止め部材２９ａ，３１ａが取り付けられ、撮像補助具１の携帯端末Ｔへの装着の安定性を更に向上できる。
【００４３】
挟持板２９，３１の端部には、湾曲部３３を越えて伸びるツマミ３５，３７が設けられている。これらツマミ３５，３７により、挟持部２９，３１間を離間させることができ、撮像補助具１の携帯端末Ｔに対する装着や離脱を容易にする。
【００４４】
また、他方の挟持板３１には、携帯端末Ｔに当接する部分の背面に書き込み用のペンＰを保持する湾曲アーム状の保持クリップ４１が設けられている。本実施例の保持クリップ４１は、挟持板３１の湾曲を利用してペンＰを保持するようになっている。
【００４５】
［撮像補助具の作用］
かかる構成の撮像補助具１では、図２のように、装着部１１により携帯端末Ｔへ装着された状態で、カメラに向かってサイン等の書き込みをする静止画や動画を撮像可能とする。
【００４６】
具体的には、撮像補助具１は、レンズ部５によって携帯端末Ｔのカメラの画角を拡げ、これによって携帯端末Ｔのカメラは、透光板７の外表面１７ａが撮像可能になる。このとき、本実施例では、レンズ部５が携帯端末Ｔのカメラの接写機能を補い、そのカメラで透光板７の外表面１７ａにピントを合わせることを確実にしている。
【００４７】
このため、撮像対象者が透光板７の外表面１７ａに書き込みする際には、その様子や書き込んだ状態での静止画や動画を携帯端末Ｔのカメラで撮像することができる。
【００４８】
なお、撮像補助具１は、サインだけでなく、透光板７にメッセージ、日付、絵等の書き込みをして、その書き込みを行う様子や書き込みを行った状態で静止画や動画を撮像させることも可能である。
【００４９】
［実施例の効果］
以上説明したように、本実施例の撮像補助具１は、カメラを有する携帯端末Ｔに装着して用いられる撮像補助具であって、広角用のレンズ部５と、レンズ部５とは分離して設けられると共にレンズ部５に対向配置された透光板７と、レンズ部５と透光板７とを支持して一定間隔に保持するフレーム９と、携帯端末Ｔへの装着を可能とする装着部１１とを備える。
【００５０】
従って、本実施例の撮像補助具１では、透光板７をレンズ部５から切り離してサイン等の書き込みが可能な大きさにすることができ、これを広角用のレンズ部５によって携帯端末Ｔのカメラで撮像可能とすることができる。これら透光板７とレンズ部５とをフレームで保持しつつ装着部１１により携帯端末Ｔに装着すれば、カメラに向かってサイン等の書き込みをする様子や書き込みをした状態での静止画や動画を手軽に撮像することが可能となる。
【００５１】
また、本実施例の撮像補助具１は、レンズ部５が筒状部１３内にレンズ１５を支持して構成され、透光板７がレンズ部５の筒状部１３に対して分離して設けられ、フレーム９は、レンズ部５の筒状部１３及び透光板７を支持する。
【００５２】
従って、レンズ部５と透光板７とを確実に分離させて透光板７をサイン等の書き込みに適した大きさとすることができなが、これら透光板７とレンズ部５とをフレームで確実に保持して、透光板７の外表面１７ａの確実な撮像を実現する。
【００５３】
フレーム９は、貫通孔２５ａを有し、この貫通孔２５ａと同心にレンズ部５を支持するフレーム本体２５と、フレーム本体２５から設けられて先端に透光板７を支持する複数のアーム２７とを備える。
【００５４】
従って、本実施例では、レンズ部５と透光板７とを確実に位置決めて、透光板７にサイン等の書き込みをする様子や書き込みした状態での撮像を確実に行わせることができる。
【００５５】
透光板７は、板状の本体部１７と、本体部１７の外周縁に沿って設けられた板厚方向のリブ１９と、板厚方向におけるリブ１９の範囲内でリブ１９に設けられ、フレーム９によって支持される被支持部２１とを備える。
【００５６】
従って、本実施例では、透光板７は、本体部１７の剛性が向上し、撮像対象者に対してサイン等を安定して行わせることが可能となる。また、被支持部２１をリブ１９に設けることで、被支持部２１の剛性をも向上して、撮像対象者に対してサイン等をより安定して行わせることが可能となる。しかも、被支持部２１がリブ１９の板厚方向での範囲内で設けられているので、大型化をも抑制することができる。
【符号の説明】
【００５７】
１  撮像補助具
５  レンズ部
７  透光板
９  フレーム
１１  装着部
１３  筒状部
１５  レンズ
１７  本体部
１９  リブ
２１  被支持部
２５  フレーム本体
２５ａ  貫通孔
２７  アーム
Ｔ  携帯端末
【図１】
0003207550.tif 000003
【図２】
0003207550.tif 000004
【図３】
0003207550.tif 000005
【図４】
0003207550.tif 000006
【図５】
0003207550.tif 000007
【図６】
0003207550.tif 000008
【図７】
0003207550.tif 000009
【図８】
0003207550.tif 000010
【図９】
0003207550.tif 000011
【図１０】
0003207550.tif 000012
【図１１】
0003207550.tif 000013